(57)【要約】      （修正有）【課題】食事後や腰を屈めたときであってもベルト部材が腹部を圧迫することがなく、使用者にきわめて良好なフィット感を与えることができる衣服用ベルトを提供する。【解決手段】使用者の腹回りに装着するための十分な長さを有するベルト本体、当該ベルト本体の先端部に着脱自在に取付けるバックル部材とからなる衣服用ベルトであって、ベルト本体は上下二枚の長尺状皮革地３、４の間に、ボンデッド芯地４と低反発スポンジ体５からなる二つの長尺状部材を挟み込んで四層構造となし、その周縁部を縫着により一体化させ、使用者の胴回りとなる側に前記低反発スポンジ体５からなる長尺状部材が位置するようにしてベルト本体の先端部を前記バックル部材に取付けるようになし、且つ前記バックル部材は伸縮性部材を介してベルト本体の先端部に取付ける構造とした。【選択図】図２
0003221731.tif 000002
【実用新案登録請求の範囲】
【請求項１】
使用者の腹回りに装着するための十分な長さを有するベルト本体と、このベルト本体の先端部に着脱自在に取付けるバックル部材とからなる衣服用ベルトにおいて、前記ベルト本体は上下二枚の長尺状皮革地の間に、ボンデッド芯地と低反発スポンジ体からなる二つの長尺状部材を挟み込んで四層構造となし、その周縁部を縫着により一体化させ、使用者の腹回りとなる側に前記低反発スポンジ体からなる長尺状部材が位置するようにしてベルト本体の先端部に、前記バックル部材を取付けるようにしたことを特徴とする衣服用ベルト。
【請求項２】
使用者の腹回りに装着するための十分な長さを有するベルト本体と、このベルト本体の先端部に着脱自在に取付けるバックル部材とからなる衣服用ベルトにおいて、前記ベルト本体は上下二枚の長尺状皮革地の間に、ボンデッド芯地と低反発スポンジ体からなる二つの長尺状部材を挟み込んで四層構造となし、その周縁部を縫着により一体化させ、使用者の腹回りとなる側に前記低反発スポンジ体からなる長尺状部材が位置するようにしてベルト本体の先端部に、前記バックル部材を取付けるようになし、且つ前記バックル部材は伸縮性部材を介してベルト本体の先端部に取付ける構造となっていることを特徴とする衣服用ベルト。
【考案の詳細な説明】
【技術分野】
【０００１】
本考案は装着感を格段に向上させた衣服用、特にズボンに用いる衣服用ベルトに関するものである。
【背景技術】
【０００２】
従来の衣服用ベルトのほとんどは、使用者の腹部に巻き付ける天然皮革乃至合成皮革などの皮革素材から構成された長尺帯状のベルト本体と、使用者の臍部周辺においてベルト本体の必要長さの調節を行ったうえでベルト本体を締め付けてズボンなどを保持するバックル部材とから構成されている。
【０００３】
ベルト本体については、一般的に使用者の腹部回りに装着するための十分な長さを有すると共に、経時的劣化を防ぐため比較的厚手となるように構成した一枚ものの天然皮革地乃至合成皮革地を用いたものや、内側部及び外側部を構成する二枚の長尺状皮革地を重ね合わせてその周縁部を縫着手段によって一体化させたものなどが知られている。
【考案の概要】
【考案が解決しようとする課題】
【０００４】
前記したように、従来の衣服用ベルトに用いられているベルト部材は比較的厚手の皮革地をそのまま使用したものや、二枚の長尺状皮革地を重ね合わせてその周縁部を縫着して一体化させたものとなっていた。そのため、装着感が甚だ悪く、食事後や腰を屈めたときなどにはベルト部材が腹部を圧迫し、不快感を使用者に与えることが多かった。
【０００５】
そこで、本考案は上記した従来の衣服用ベルトの問題点を解消し、ベルト本体を構成する上下二枚の皮革地の間に低反発スポンジ体を使用者の腹部回りとなる側に封入してベルト本体を使用者の腹部回りにソフトにフィットさせ、ベルト装着時の体への負担を軽減できるようにした衣服用ベルトを提供することを目的とするものである。
【課題を解決するための手段】
【０００６】
上記課題を解決するための本考案に係る衣服用ベルトの構成を詳述すれば、請求項１に係る考案は、使用者の腹回りに装着するための十分な長さを有するベルト本体と、このベルト本体の先端部に着脱自在に取付けるバックル部材とからなる衣服用ベルトにおいて、前記ベルト本体は上下二枚の長尺状皮革地の間に、ボンデッド芯地と低反発スポンジ体からなる二つの長尺状部材を挟み込んで四層構造となし、その周縁部を縫着により一体化させ、使用者の腹回りとなる側に前記低反発スポンジ体からなる長尺状部材が位置するようにしてベルト本体の先端部に前記バックル部材を取付けるようにしたことを特徴とする衣服用ベルトである。
【０００７】
また、請求項２に係る考案は、使用者の腹回りに装着するための十分な長さを有するベルト本体と、このベルト本体の先端部に着脱自在に取付けるバックル部材とからなる衣服用ベルトにおいて、前記ベルト本体は上下二枚の長尺状皮革地の間に、ボンデッド芯地と低反発スポンジ体からなる二つの長尺状部材を挟み込んで四層構造となし、その周縁部を縫着により一体化させ、使用者の腹回りとなる側に前記低反発スポンジ体からなる長尺状部材が位置するようにしてベルト本体の先端部に前記バックル部材を取付けるようになし、且つ前記バックル部材は伸縮性部材を介してベルト本体の先端部に取付ける構造となっていることを特徴とする衣服用ベルトである。
【考案の効果】
【０００８】
本考案によれば、装着時に使用者の腹回りとなる側に低反発スポンジ体からなる長尺状部材が位置するようになっているので適度なソフト感を使用者に与えることができ、しかもベルト本体に従来のベルトには見られなかった厚みが生じるので扱い易く且つ高級感乃至重厚感を賦与することができる。また、前記請求項２のように、伸縮性部材を介してバックル部材をベルト本体の先端部に取付ける構造とした場合には、食事後や腰を屈めたときであってもベルト部材が腹部を圧迫することが一層解消され、使用者にきわめて良好なフィット感を与えることができる。
【図面の簡単な説明】
【０００９】
【図１】本考案に係る衣服用ベルトにおけるベルト本体の一実施形態を示す斜視図である。
【図２】図1に示すベルト本体の断面構造を示す説明図である。
【図３】バックル部材の一実施形態を示す斜視図である。
【図４】図３に示すバックル部材を構成する伸縮性部材の後端部にベルト連結金具（オメガ）を取付けるときの説明図である。
【図５】バックル部材における伸縮性部材の表面側を覆うベロ部材を取付けるときの説明図である。
【図６】ベロ部材と伸縮性部材を縫着するときの説明図である。
【図７】図６に示すベロ部材と伸縮性部材の縫着後の裏面図である。
【図８】ベルト連結金具（オメガ）にサル革（ベルト通し環）を取付けた状態のバックル部材の一実施形態を示す斜視図である。
【考案を実施するための形態】
【００１０】
以下、図面を用いて本考案に係る衣服用ベルトの具体的構成を詳細に説明する。
なお、以下に示す実施形態は、本考案に係る衣服用ベルトの一実施形態を示すものであって、本考案は以下の構成に限定されるものではない。特に、実施の形態に記載されている構成部材の材質、形状、相対的配置などは、特定的な記載がない限り本考案の範囲をそれのみに限定する趣旨ではなく、単なる説明例に過ぎないものである。また、各図面に示す部材の大きさや位置関係などは説明を明確にするため誇張していることがある。
【００１１】
図１および図２は本考案に係る衣服用ベルトにおけるベルト本体１の詳細を示すもので、当該ベルト本体１は使用者の腹回りに装着するための十分な長さ、すなわち必要長さ以上のある程度の余剰部を有するように裁断した上下二枚の長尺状皮革地２，３の間に、ボンデッド芯地４と低反発スポンジ体５からなる二つの長尺状部材を挟み込んで四層構造となし、その周縁部を縫着糸６により一体化させて構成したものとなっている。
【００１２】
前記ボンデッド芯地４は不要となった皮革部材などを小片化、解繊あるいは微細化したものを合成樹脂バインダーなどによって一定の厚さに成形した部材であり、反発性はほとんど期待できないものの製品に程よい厚みと柔らか味を賦与するのに適している。また、低反発スポンジ体５はシリコンゴムやウレタン素材などを発泡化させて構成したものであり、低反発タイプ、すなわち鉄球を一定の高さから落下させ、落とした高さに対し１５％未満の反発性が得られるもの（日本工業規格）が好適に用いられる。
【００１３】
なお、反発弾性が５０％以上の高反発タイプのスポンジ体を使用した場合は、ベルト本体１による締め付け力が緩和され過ぎて期待した程の装着感は得られなかった。これに対し、本考案のように低反発スポンジ体５を用いた場合は適度な弾性により使用者にとってきわめて良好な装着感が得られた。
【００１４】
このように、本考案においては単純に二枚の長尺状皮革地を重ね合わせて、その周縁部を縫着してベルト本体としたものではなく、上下二枚の長尺状皮革地２，３の間に、ボンデッド芯地４と低反発スポンジ体５からなる二つの長尺状部材を挟み込んで四層構造となし、その周縁部を縫着糸６により一体化させて構成してあり、使用者の腹回りとなる側、すなわち内側に前記低反発スポンジ体５からなる長尺状部材が位置するようにしてベルト本体１の先端部を、後述するバックル部材７に取付けるように構成したものである。
【００１５】
なお、図２においては、便宜上、長尺状皮革地２，３、ボンデッド芯地４および低反発スポンジ体５の幅方向寸法が全て同一寸法となるように表わしているが、ボンデッド芯地４および低反発スポンジ体５の幅方向寸法は長尺状皮革地２，３の幅方向寸法より若干短く設定して、一体化にあたっては、ボンデッド芯地４および低反発スポンジ体５を長尺状皮革地２，３の間の中央部寄りに挟み込んで、当該長尺状皮革地２，３の周縁部を揃えて両者２，３のみを縫糸６によって縫着するようにすることが好ましい。
【００１６】
次に、図３乃至図８はベルト本体１の先端部に着脱自在に取付けるバックル部材７の詳細を示すもので、図中８はバックル部材７の図示しない軸部に回動可能なように取付けたピン部であり、当該ピン部８を後述するようにベルト本体１の必要長さの決定後にベルト本体１に穿設してある通孔９内に挿通してベルト本体１を腹部に保持させる役目をなす。
【００１７】
図３乃至図８に示すバックル部材７の実施例においては、伸縮性部材を介してベルト本体１の先端部に当該バックル部材７を取付けるようしたものであり、バックル部材７の前記軸部には、ゴムバンドあるいは任意の伸縮性素材を編成して構成した適宜長さの扁平状の伸縮性部材１０を通して当該伸縮性部材１０の両端部をテープ部材１１で覆って両者を縫着した構造となっている。なお、図中の１２はバックル部材７の前記軸部の回動の障害とならないように伸縮性部材１０に形成した切欠き部を示す。
【００１８】
前記した伸縮性部材１０におけるテープ部材１１で覆って縫着した部分には図４に示すように、オメガと称するベルト連結金具１３を固定する。すなわち、ベルト連結金具１３には伸縮性部材１０のテープ部材１１で覆って縫着した部分を固定するための固定爪１４，１４が形成されており、当該固定爪１４，１４を内側に折り曲げて伸縮性部材１０の自由端を固定する。また、ベルト連結金具１３にはベルト本体１の先端部を固定するための回動可能なベルト止め部１５が設けられており、当該ベルト止め部１５の回動操作によってベルト本体１の先端部の着脱を行うことができる。
【００１９】
図４に示した状態のままであると、表面側に皮革地ではない前記伸縮性部材１０が表われることになり、見栄えの低下を来すことになる。そのため、本考案においては図５に示すようにベルト本体１と同一乃至同効素材によって作製したベロ部材１６によって伸縮性部材１０の表面側を覆うようにしたものである。なお、当該ベロ部材１６は図６及び図７に示すようにバックル部材７の軸部周辺において伸縮性部材１０と縫着して一体化を図る。図６における１７は当該縫着部を示す。
【００２０】
図８はベルト連結金具１３にサル革と称するベルト通し環１８を取付けた状態のバックル部材７の一実施形態を示すものであり、表面側にはベロ部材１６が位置して下側の伸縮性部材１０の所在が判らないようになっている。
【００２１】
ベルト本体１の先端部をバックル部材７に取付けるにあたっては、先ず、着用者の腹部回りを勘案してベルト本体１を必要長さに裁断する。そして、ベルト連結金具１３のベルト止め部１５を開いてから、裁断したベルト本体１の先端部をベルト連結金具１３内に挿入してからベルト止め部１５を閉じると、ベルト止め部１５に突設してある係止爪１９がベルト本体１内に食い込んで固定された状態となる。
【００２２】
当該実施形態によった場合、バックル部材７は伸縮性部材１０を介してベルト本体１の先端部に取付けられたことになり、ベルト本体１内に封入してある低反発スポンジ体５によるフィット感の向上と相俟って従来にない良好な装着感を使用者に与えることができる。
【００２３】
以上のように、本考案によれば、装着時に使用者の腹回りとなる側に低反発スポンジ体からなる長尺状部材が位置することになるので従来にない適度なソフト感を得ることができると共に、バックル部材を伸縮性部材を介してベルト本体の先端部に取付ける構造と併用した場合は、食事後や腰を屈めたときであってもベルト部材が腹部を圧迫することが一層解消され、装着感のきわめて良好な衣服用ベルトを提供することができる。
【符号の説明】
【００２４】
１：ベルト本体
２：長尺状皮革地
３：長尺状皮革地
４：ボンデッド芯地
５：低反発スポンジ体
６：縫着糸
７：バックル部材
８：ピン部
９：通孔
１０：伸縮性部材
１１：テープ部材
１２：切欠き部
１３：ベルト連結金具（オメガ）
１４：固定爪
１５：ベルト止め部
１６：ベロ部材
１７：縫着部
１８：ベルト通し環
１９：係止爪
【図１】
0003221731.tif 000003
【図２】
0003221731.tif 000004
【図３】
0003221731.tif 000005
【図４】
0003221731.tif 000006
【図５】
0003221731.tif 000007
【図６】
0003221731.tif 000008
【図７】
0003221731.tif 000009
【図８】
0003221731.tif 000010